(57)【要約】【課題】一連の処理の流れを予め登録しておくことで、一連の処理を容易に実行でき、ユーザの操作性を向上させた録画再生装置を提供する。【解決手段】メインマイコンは、処理が終了する際に、この処理が最初の処理であり且つ２つ以上の処理からなる処理群が記憶されているか否かを検索し、１つの処理群が検出された場合は、この処理群とこの処理群を実行するか否かの判断をユーザに促すコメントとを表す映像出力信号を構成して出力するよう表示出力制御部に命令し、複数の処理群が検出された場合は、これらの処理群とこれらの処理群の何れか１つを実行するか何も実行しないかの判断をユーザに促すコメントとを表す映像出力信号を構成して出力するよう表示出力制御部に命令する。【選択図】図６
2008084404.tif 000002
【特許請求の範囲】
【請求項１】
映像記録媒体の記録処理及び再生処理を行う映像処理部と、
映像出力信号を構成して出力する表示出力制御部と、
映像信号の信号処理を行う映像制御部と、
ユーザの行う入力操作に対応した制御信号を出力する操作部と、
該操作部の出力した制御信号を受信する制御信号受信部と、
処理を関連付けて階層化した処理階層を記憶する記憶部と、
前記映像制御部及び前記記憶部を制御する装置制御部とを備えた録画再生装置であって、
前記表示出力制御部は、前記記憶部に記憶された処理階層を読み込み、該処理階層を表す映像出力信号を構成して出力することを特徴とする録画再生装置。
【請求項２】
前記装置制御部は、ユーザが前記操作部を操作して指定した、１つ以上の処理を実行順に並べてなる処理群を前記記憶部に書き込むことを特徴とする請求項１に記載の録画再生装置。
【請求項３】
映像記録媒体の記録処理及び再生処理を行う映像処理部と、
映像出力信号を構成して出力する表示出力制御部と、
映像信号の信号処理を行う映像制御部と、
ユーザの行う入力操作に対応した制御信号を出力する操作部と、
該操作部の出力した制御信号を受信する制御信号受信部と、
処理を関連付けて階層化した処理階層を記憶する記憶部と、
前記映像制御部及び前記記憶部を制御する装置制御部とを備えた録画再生装置であって、
前記記憶部は、１つ以上の処理を実行順に並べてなる処理群を記憶し、
前記表示出力制御部は、前記記憶部に記憶された処理群を表す映像出力信号を構成して出力し、
前記装置制御部は、ユーザが前記操作部を操作して実行するよう指示した処理群を実行することを特徴とする録画再生装置。
【請求項４】
映像記録媒体の記録処理及び再生処理を行う映像処理部と、
映像出力信号を構成して出力する表示出力制御部と、
映像信号の信号処理を行う映像制御部と、
ユーザの行う入力操作に対応した制御信号を出力する操作部と、
該操作部の出力した制御信号を受信する制御信号受信部と、
処理を関連付けて階層化した処理階層を記憶する記憶部と、
前記映像制御部及び前記記憶部を制御する装置制御部とを備えた録画再生装置であって、
前記記憶部は、１つ以上の処理を実行順に並べてなる処理群を記憶し、
前記装置制御部は、
処理が終了する際に、該処理が最初の処理であり且つ２つ以上の処理からなる処理群が前記記憶部に記憶されているか否かを検索し、１つの処理群が検出された場合は、該１つの処理群と該１つの処理群を実行するか否かの判断をユーザに促すコメントとを表す映像出力信号を構成して出力するよう前記表示出力制御部に命令し、複数の処理群が検出された場合は、該複数の処理群と該複数の処理群の何れか１つを実行するか何も実行しないかの判断をユーザに促すコメントとを表す映像出力信号を構成して出力するよう前記表示出力制御部に命令し、
ユーザが前記操作部を操作して実行するよう指示した処理群の２番目以降の処理を実行することを特徴とする録画再生装置。
【発明の詳細な説明】
【技術分野】
【０００１】
本発明は、録画再生装置に関し、より詳しくは、カセット、ＨＤＤ（Ｈａｒｄ  Ｄｉｓｋ  Ｄｒｉｖｅ：ハードディスクドライブ）、ＤＶＤやＣＤのようなディスク、メモリカードのような半導体メモリ等の映像記録媒体にテレビジョン放送の番組を録画したり、これらに録画された番組を再生したりする録画再生装置に関する。
【背景技術】
【０００２】
近年、様々な映像記録媒体に記録可能な録画再生装置が発売されている。この映像記録媒体としては、カセット、記録装置自体に内蔵されたＨＤＤ、ＤＶＤやＣＤのようなディスク、メモリカードのような半導体メモリ等が使用されている。
【０００３】
所で、一見すると同じように見える媒体であっても、種類が異なっているものがある。例えば、ＤＶＤでは、ＤＶＤ−Ｒ、ＤＶＤ−ＲＷ、ＤＶＤ＋Ｒ、ＤＶＤ＋ＲＷ、ＤＶＤ−ＲＷＤＬ、ＤＶＤ−ＲＡＭ等の種類があり、これらの録画時の設定は全て異なるため、ユーザにとって、操作が非常に紛らわしいものとなっている。更に、これらの異なる映像記録媒体の間（例えば、ＨＤＤからＤＶＤ）でダビングする場合になると、ますます設定項目が増え、ユーザにとって大変煩わしいものとなっている。
【０００４】
また、録画再生装置の多機能化は、様々な機能を提供している反面、これらの機能の使い方を十分に理解する必要があり、詳細な設定も必要となるため、使いこなすのが難しいという点も指摘されていた。
【０００５】
これらの問題を解決し、詳細な設定や種々の機能の利用を、容易に行うことができるものとして、メニューがある。非特許文献１には、一般に多く使用されているメニューの使用方法が開示されている。特許文献１には、機器操作の容易性の向上を図る技術が開示されている。
【０００６】
図１３から図２６を用いて、録画再生装置におけるメニューの使用方法を説明する。図１３及び図１４は、メニューの動作を示す状態遷移図である。一般に、状態遷移図は、状態を表すノードと、状態間の遷移を表すエッジとによって構成される。ノードは、円や四角形で表されることが多く、エッジは、矢印で表されることが多い。
【０００７】
図１３及び図１４において、四角形で表現された各ノードＮ１１０、Ｎ１２０、・・・は、状態遷移図の「状態」を表し、録画再生装置の行う処理に対応する。例えば、図１３のノードＮ１１０は、「トップメニュー」処理であり、録画再生装置が、ユーザに「編集」、「ダビング」、・・・の中から選択させる処理である。また、図１４のノードＮ１６０は、「上書き保存」処理であり、録画再生装置が、部分削除したファイルを上書き保存する処理である。
【０００８】
図１３及び図１４において、矢印で表現された各エッジＥ１２０、Ｅ１２１、・・・は、状態遷移図の「遷移」を表し、ユーザの操作に対応する。例えば、図１３のエッジＥ１２０は、ユーザが、「編集」を選択する操作であり、このユーザ操作によって、状態がノードＮ１１０からノードＮ１２０に遷移する。また、図１４のエッジＥ１５０は、ユーザが、削除する部分を指定する操作であり、このユーザ操作によって、状態がノードＮ１４０からノードＮ１５０に遷移する。
【０００９】
図１５から図２６までは、図１３及び図１４の各ノード（即ち、録画再生装置が行う処理）において表示される画面である。図１５は、ノードＮ１１０の状態（即ち、トップメニュー）において表示される画面である。同様に、図１６から図２６は、それぞれ順に、ノードＮ１２０からノードＮ２２０の各状態において表示される画面である。
【００１０】
状態遷移を具体的に説明する。ユーザが、リモコンに備えられた「メニューキー」を押下することで、メニューは開始される。録画再生装置は、先ず、ノードＮ１１０の状態になり、この録画再生装置に接続された表示装置には、図１５に示す画面が表示される。
【００１１】
ユーザは、表示されている選択肢の中から、リモコンに備えられた「方向キー」と「決定キー」を用いて、実行したい処理を選択する。今、ユーザが、「編集」を選択したとすると、このユーザ操作はエッジＥ１２０であり、ノードＮ１１０の状態からノードＮ１２０の状態に遷移し、図１６に示す画面が表示される。
【００１２】
ユーザは、この後、同様の操作を行うことで、目的の処理を実現することができる。先ず、部分削除した後、上書き保存する場合を例に説明する。これは、コマーシャルを消去して保存しておきたい場合に、良く行われる。
【００１３】
ユーザは、トップメニュー（ノードＮ１１０、図１５）において「編集」を選択（エッジＥ１２０）し、編集メニュー（ノードＮ１２０、図１６）において「部分削除」を選択（エッジＥ１３０）し、部分削除するファイルの指定（ノードＮ１３０、図１７）においてファイルを指定（エッジＥ１４０）し、削除する部分の指定（ノードＮ１４０、図１８）において削除する部分を指定（エッジＥ１５０）し、保存方法の指定（ノードＮ１５０、図１９）において「上書き保存」を選択（エッジＥ１６０）することで、部分削除したファイルの上書き保存（ノードＮ１６０、図２０）を実現することができる。
【００１４】
続いて、部分消去した後、ＤＶＤにダビングする場合を説明する。初めに、上述の「部分削除した後、上書き保存する場合」の操作を行う。これにより、部分削除したファイルが上書き保存される。そして、ユーザは、再度、リモコンのメニューキーを押下し、録画再生装置は、トップメニュー（ノードＮ１１０、図１５）の状態になる。ユーザは、トップメニュー（ノードＮ１１０、図１５）において「ダビング」を選択（エッジＥ１９０）し、ダビング元ファイルの指定（ノードＮ１９０、図２３）においてファイルを指定（エッジＥ２００）し、ダビング先の指定（ノードＮ２００、図２４）において「ＤＶＤ」を選択（エッジＥ２１０）することで、ＤＶＤにダビング（ノードＮ２１０、図２５）が実現される。
【００１５】
上述のように、メニューは、設定項目が多い場合やユーザが手順を十分に把握できていない場合などに、操作が容易であるため、多くの録画再生装置で採用されている。
【００１６】
【特許文献１】特開２００５−３１１８７４号公報
【非特許文献１】パイオニア株式会社、「ビデオ一体型ＨＤＤ／ＤＶＤレコーダー取扱説明書ＤＶＤ−ＲＴ７Ｈ」、２００５年
【発明の開示】
【発明が解決しようとする課題】
【００１７】
所で、メニューを使用して、様々な処理を行うことが出来るが、同じユーザであれば、同じ処理を実施する場合が多い。例えば、コマーシャルを削除して保存する場合、或るユーザは上書き保存することが多く、別の或るユーザは別ファイルに保存することが多い。同様に、或るユーザは、ＤＶＤにダビングすることが多く、別の或るユーザはカセットにダビングすることが多い。
【００１８】
また、或る処理の後では、同じ処理が行われることが多い。例えば、或るユーザは、コマーシャルを削除（部分削除）した後は、その映像をＤＶＤにダビングする場合が多い。このため、毎回、同一の処理を行うにもかかわらず、メニューで全て指定していって実行するのは、煩わしいという問題があった。
【００１９】
また、コマーシャルを削除した後、ＤＶＤにダビングする場合、コマーシャル削除の後、再度、トップメニューから、処理を行っていかなければならない。特に、コマーシャル削除の際に指定したファイルと同一のファイルをＤＶＤにダビングする場合であっても、再度、ファイルを指定しなければならず、煩わしいという問題があった。
【００２０】
このため、メニューよりも更にユーザの操作性を向上させた録画再生装置が望まれていた。
【００２１】
本発明は、上述の問題点に鑑みてなされたものであり、一連の処理の流れを予め登録しておくことで、一連の処理を容易に実行でき、ユーザの操作性を向上させた録画再生装置を提供することを目的とする。
【課題を解決するための手段】
【００２２】
請求項１に記載の録画再生装置は、映像記録媒体の記録処理及び再生処理を行う映像処理部と、映像出力信号を構成して出力する表示出力制御部と、映像信号の信号処理を行う映像制御部と、ユーザの行う入力操作に対応した制御信号を出力する操作部と、該操作部の出力した制御信号を受信する制御信号受信部と、処理を関連付けて階層化した処理階層を記憶する記憶部と、前記映像制御部及び前記記憶部を制御する装置制御部とを備えた録画再生装置であって、前記表示出力制御部は、前記記憶部に記憶された処理階層を読み込み、該処理階層を表す映像出力信号を構成して出力することを特徴とする。
【００２３】
請求項１に記載の録画再生装置によれば、処理階層を表す映像出力信号を出力することができるため、この映像出力信号を表示装置に入力すれば、処理階層を画面表示することができる。
【００２４】
請求項２に記載の録画再生装置は、請求項１において、前記装置制御部は、ユーザが前記操作部を操作して指定した、１つ以上の処理を実行順に並べてなる処理群を前記記憶部に書き込むことを特徴とする。
【００２５】
請求項２に記載の録画再生装置によれば、処理群を記憶部に記憶させることができる。
【００２６】
請求項３に記載の録画再生装置は、映像記録媒体の記録処理及び再生処理を行う映像処理部と、映像出力信号を構成して出力する表示出力制御部と、映像信号の信号処理を行う映像制御部と、ユーザの行う入力操作に対応した制御信号を出力する操作部と、該操作部の出力した制御信号を受信する制御信号受信部と、処理を関連付けて階層化した処理階層を記憶する記憶部と、前記映像制御部及び前記記憶部を制御する装置制御部とを備えた録画再生装置であって、前記記憶部は、１つ以上の処理を実行順に並べてなる処理群を記憶し、前記表示出力制御部は、前記記憶部に記憶された処理群を表す映像出力信号を構成して出力し、前記装置制御部は、ユーザが前記操作部を操作して実行するよう指示した処理群を実行することを特徴とする。
【００２７】
請求項３に記載の録画再生装置によれば、記憶された処理群を表す映像出力信号を出力することができるため、この映像出力信号を表示装置に入力すれば、記憶された処理群を画面表示することができる。また、ユーザが指示した処理群を実行することができる。
【００２８】
請求項４に記載の録画再生装置は、映像記録媒体の記録処理及び再生処理を行う映像処理部と、映像出力信号を構成して出力する表示出力制御部と、映像信号の信号処理を行う映像制御部と、ユーザの行う入力操作に対応した制御信号を出力する操作部と、該操作部の出力した制御信号を受信する制御信号受信部と、処理を関連付けて階層化した処理階層を記憶する記憶部と、前記映像制御部及び前記記憶部を制御する装置制御部とを備えた録画再生装置であって、前記記憶部は、１つ以上の処理を実行順に並べてなる処理群を記憶し、前記装置制御部は、処理が終了する際に、該処理が最初の処理であり且つ２つ以上の処理からなる処理群が前記記憶部に記憶されているか否かを検索し、１つの処理群が検出された場合は、該１つの処理群と該１つの処理群を実行するか否かの判断をユーザに促すコメントとを表す映像出力信号を構成して出力するよう前記表示出力制御部に命令し、複数の処理群が検出された場合は、該複数の処理群と該複数の処理群の何れか１つを実行するか何も実行しないかの判断をユーザに促すコメントとを表す映像出力信号を構成して出力するよう前記表示出力制御部に命令し、ユーザが前記操作部を操作して実行するよう指示した処理群の２番目以降の処理を実行することを特徴とする。
【００２９】
請求項４に記載の録画再生装置によれば、任意の処理が終了する際に、その処理が最初に実行される処理群が記憶されていた場合、その処理群を表す映像出力信号を出力するため、この映像出力信号を表示装置に入力すれば、その処理群が画面表示される。また、ユーザが指示した処理群の残りの各処理を引き続き実行することができる。
【発明の効果】
【００３０】
本発明によれば、処理階層を画面表示することができるため、ユーザは容易に処理階層を把握でき、また、任意の処理を容易に見つけ出すことができるようになり、ユーザの操作性を向上できる。更に、本発明によれば、処理群を記憶部に記憶させることができるため、同じ処理を何度も指定する必要がなくなり、ユーザの操作性を向上できる。更に、本発明によれば、記憶された処理群を画面表示することができ、また、ユーザが指示した処理群を実行することができるため、ユーザは画面表示を利用して実行する処理群を確認でき、また、処理群の各処理を自動的に連続して実行することができ、ユーザの操作性を向上できる。
【００３１】
更に、本発明によれば、任意の処理が終了する際に、その処理が最初に実行される処理群が記憶されていた場合、その処理群が画面表示され、また、ユーザが指示した処理群の残りの各処理を引き続き実行することができるため、ユーザが指示することなしに自動的にその処理が最初に実行される処理群が画面表示され、ユーザはこの画面表示を利用して実行する処理群を確認でき、また、ユーザが指示した処理群の残りの各処理を自動的に連続して実行することができ、ユーザの操作性を向上できる。
【発明を実施するための最良の形態】
【００３２】
本発明の実施の形態を、図面を参照して説明する。なお、以下の実施例は本発明の具体例に過ぎず、本発明が以下の実施形態に限定されるものではない。
【００３３】
図１は、本実施例の録画再生装置の構成を示すブロック図である。録画再生装置１は、メインマイコン１１、サブマイコン１３、メモリ１２、１４、デジタル映像制御部１５、ＨＤＤ映像処理部１６、ＤＶＤ映像処理部１７、表示出力制御部１８、赤外線受光部１９、アナログ映像制御部２０、ＨＤＤ２１、出力端子２２、リモコン３を備える。
【００３４】
メインマイコン１１（特許請求の範囲における装置制御部に対応）は、録画再生装置全体を制御する。図２はメインマイコン１１の内部を示すブロック図である。動作手段１１１は、処理階層の各処理の動作を実行する手段である。選択手段１１２は、処理階層から処理を選択させる手段である。登録手段１１３は、選択手段１１２によって選択された１つ以上の処理を実行順に並べてなる処理群を登録する手段である。記憶手段１１４は、メインマイコン１１の内部で使用されるデータを一時的に記憶する手段である。階層制御手段１１５は、処理を選択させる時に処理階層を表示部に表示させる手段である。動作制御手段１１６は、録画再生装置１の全ての動作制御を行う手段である。ＣＰＵ１１７は、各手段を制御するとともに、メインマイコン１１の外部との接続インターフェースの機能を有する。
【００３５】
サブマイコン１３は、カセットの制御を行う。メモリ１２（特許請求の範囲における記憶部に対応）は、メインマイコン１１に接続されており、処理階層、処理群、各部の設定値を記憶する。メモリ１４は、サブマイコン１３に接続されており、カセットの設定値を記憶する。デジタル映像制御部１５（特許請求の範囲における映像制御部に対応）は、ＭＰＥＧ等のコーデック処理、アナログとデジタルの変換処理等の、映像信号の信号処理を行う。
【００３６】
ＨＤＤ映像処理部１６（特許請求の範囲における映像処理部に対応）、ＤＶＤ映像処理部１７（特許請求の範囲における映像処理部に対応）は、それぞれ、ＨＤＤ２１、ＤＶＤ（図示せず）の記録処理及び再生処理を行う。表示出力制御部１８は、録画再生装置１の外部に出力端子２２を通して出力される映像出力信号を構成して出力する。この映像出力信号は、液晶ディスプレイやプラズマディスプレイ等の表示装置（図示せず）に入力され、その表示部に表示される。
【００３７】
リモコン３（特許請求の範囲における操作部に対応）は、ユーザの行う入力操作に対応した制御信号を出力する。赤外線受光部１９（特許請求の範囲における制御信号受信部に対応）は、リモコン３の出力した制御信号を受信する。アナログ映像制御部２０（特許請求の範囲における映像制御部に対応）は、カセットの映像処理及び音声処理を行う。
【００３８】
図３は、リモコン３を示す図である。メニューキー３４を押下すると、メニューが表示される。方向キー（上方向キー３２ａ、右方向キー３２ｂ、下方向キー３２ｃ、左方向キー３２ｄ）は、押下した方向にカーソルを移動させたり、選択箇所を移動させたりする。決定キー３３を押下すると、その時点で選択された項目や状態に決定される。テンキー３５を押下すると、その押下したキーに対応する数字が入力される。電源キー３１は、録画再生装置１の電源をオン・オフする。
【００３９】
ここで、処理階層と処理群について説明する。図７及び図８の上側は、図１３及び図１４に示される状態遷移図から作られる処理階層を示す。この処理階層の各階層ｎ１２０、ｎ１３０、・・・は、録画再生装置の行う処理であり、図１３及び図１４に示される状態遷移図における各ノードＮ１２０、Ｎ１３０、・・・に対応する。例えば、編集メニューｎ１２０は、図１３におけるノードＮ１２０と等しく、録画再生装置が、「部分削除」、「ファイル削除」、・・・の中からユーザに選択させる処理である。
【００４０】
図７及び図８の下側は、処理階層の中から選択された処理を実行順に並べて作られた処理群を示す。例えば、処理群１は、部分削除するファイルの指定ｎ１３０、削除する部分の指定ｎ１４０、上書き保存ｎ１６０を、この順に実行することを意味する。これらの処理群１、２、３は、それぞれ、図１２（ａ）、（ｂ）、（ｃ）に示されるデータフォーマットで、メモリ１２に記憶される。
【００４１】
このような録画再生装置において、処理群の登録、処理群の実行、処理群の検索と実行について、それぞれ、図４、５、６に示すフローチャートを用いて説明する。ここで、これらのフローチャートの各ステップは、特に記載がない場合、メインマイコン１１の制御により実行される。また、録画再生装置１には表示装置（図示せず）が接続されており、表示出力制御部１８の出力は、その表示装置の画面に表示される。
【００４２】
図４は、処理群の登録の流れを示すフローチャートである。ユーザが処理群の登録を指示すると、このフローチャートは開始される。ステップＳ１１０では、図９に示す画面を表示して、処理群の登録が新規であるか否かをユーザに尋ね、新規である旨をユーザが入力した場合は、ステップＳ１２０に進み、そうでない場合は、ステップＳ１８０に進む。
【００４３】
ステップＳ１２０では、新たに処理群を作成し登録するための新規登録追加選択モードに移行し、ステップＳ１３０に進む。ステップＳ１３０では、メモリ１２に記憶されている処理階層及び処理群を読み込んで、図７及び図８に示すように表示し、ステップ１４０に進む。
【００４４】
ステップＳ１４０では、表示されている処理階層の中から、登録したい「処理」をユーザに選択させ、ステップＳ１５０に進む。ここで、「処理」の選択は、リモコン３に備えられている方向キー（上方向キー３２ａ、右方向キー３２ｂ、下方向キー３２ｃ、左方向キー３２ｄ）でカーソルを移動させ、決定キーによって確定することにより行う。ステップＳ１５０では、選択された「処理」を記憶手段１１４に一時記憶し、ステップＳ１６０に進む。
【００４５】
ステップＳ１６０では、登録を終了するか否かを判断し、終了する場合は、ステップＳ１７０に進み、そうでない場合は、ステップＳ１４０に進む。
【００４６】
ステップＳ１７０では、記憶手段１１４に一時記憶されている「処理」をメモリ１２に書き込み、「終了」に進む。
【００４７】
ステップＳ１８０では、既に登録済の処理群に対して処理の追加を行う場合、追加登録モードに移行し、ステップＳ１９０に進む。ステップＳ１９０では、メモリ１２に記憶されている処理階層及び処理群を読み込んで、図７及び図８に示すように表示し、ステップＳ２００に進む。
【００４８】
ステップＳ２００では、追加登録したい「処理群」をユーザに選択させ、ステップＳ２１０に進む。ステップＳ２１０では、表示されている処理階層の中から、ステップＳ２００で選択された「処理群」に追加したい「処理」をユーザに選択させ、ステップＳ２２０に進む。ここで、「処理」の選択は、リモコン３に備えられている方向キー（上方向キー３２ａ、右方向キー３２ｂ、下方向キー３２ｃ、左方向キー３２ｄ）でカーソルを移動させ、決定キーによって確定することにより行う。
【００４９】
ステップＳ２２０では、選択された「処理」を記憶手段１１４に一時記憶し、ステップＳ２３０に進む。ステップＳ２３０では、登録を終了するか否かを判断し、終了する場合は、ステップＳ１７０に進み、そうでない場合は、ステップＳ２００に進む。
【００５０】
図５は、処理群の実行の流れを示すフローチャートである。ユーザが実行したい処理群を指示すると、このフローチャートは開始される。ステップＳ３１０では、メモリ１２に記憶されている、ユーザが指定した処理群の各処理を表すデータを記憶手段１１４に一時記憶し、ステップＳ３２０に進む。
【００５１】
ステップＳ３２０では、選択された処理群の各処理の内容を把握し、ステップＳ３３０に進む。ステップＳ３３０では、記憶手段１１４に一時記憶されている処理群のデータから、この処理群に含まれる処理の数を求め、カウンタＮに代入し、ステップＳ３４０に進む。
【００５２】
ステップＳ３４０では、処理の内容に応じた各処理の操作モードに移行し、ステップＳ３５０に進む。ステップＳ３５０では、操作に応じたキー入力があるか否かを判断し、操作に応じたキー入力がある場合は、ステップＳ３６０に進み、そうでない場合は、ステップＳ３４０に進む。
【００５３】
ステップＳ３６０では、処理に対応したキー操作が行われ一つの処理が確定したか否かを判断し、処理が確定している場合は、ステップＳ３７０に進み、そうでない場合は、ステップＳ３４０に進む。
【００５４】
ステップＳ３７０では、カウンタＮの値を１だけ減じ、ステップＳ３８０に進む。ステップＳ３８０では、カウンタＮが０であるか否かを判断し、０の場合は、「終了」に進み、そうでない場合は、ステップＳ３９０に進む。
【００５５】
ステップＳ３９０では、次に登録した処理に移行するための移行表示をし、ステップＳ３４０に進む。
【００５６】
図６は、処理群の検索と実行の流れを示すフローチャートである。任意の処理が終了する際に、このフローチャートは開始される。ステップＳ５１０では、この終了する処理が最初の処理であり且つ２つ以上の処理からなる処理群がメモリ１２に記憶されているか否かを検索し、検出された処理群の数をカウンタｊに代入し、ステップＳ５２０に進む。
【００５７】
ステップＳ５２０では、カウンタｊが０であるか否かを判断し、０の場合は、「終了」に進み、そうでない場合は、ステップＳ５３０に進む。ステップＳ５３０では、ｊが１であるか否かを判断し、１の場合は、ステップＳ５４０に進み、そうでない場合は、ステップＳ５７０に進む。
【００５８】
ステップＳ５４０では、図１０のように、検出された処理群を表示するとともに、この処理群を実行するか否かをユーザに尋ね、ステップＳ５５０に進む。ステップＳ５５０では、ユーザが実行する旨の入力をしたか否かを判断し、実行する旨の入力をした場合は、ステップＳ５６０に進み、そうでない場合は、「終了」に進む。
【００５９】
ステップＳ５６０では、検出された処理群を実行し、「終了」に進む。
【００６０】
ステップＳ５７０では、図１１のように、検出した複数の処理群を表示するとともに、これら複数の処理群のうちの何れかを実行するか、それとも終了するかをユーザに尋ね、ステップＳ５８０に進む。ステップＳ５８０では、ユーザが終了する旨の入力をしたか否かを判断し、終了する旨の入力をした場合は、「終了」に進み、そうでない場合は、ステップＳ５９０に進む。
【００６１】
ステップＳ５９０では、ユーザが指定した処理群を実行し、「終了」に進む。
【００６２】
以上述べたように、本発明では、一連の処理の流れを予め登録しておくことで、一連の処理を容易に実行でき、ユーザの操作性を向上させた録画再生装置を提供することができる。
【００６３】
なお、上述の実施例の処理群３では、ダビング元ファイルの指定ｎ１９０は実行する必要はない。これは、この処理よりも前に行われる処理で、ファイルが指定されているからである。即ち、従来のメニューで行う場合は、ファイル指定を２回行う必要があったが、本発明では、これを１回に減少させることができる。
【図面の簡単な説明】
【００６４】
【図１】本発明の実施例の録画再生装置の構成を示すブロック図である。
【図２】本発明の実施例のメインマイコンの構成を示すブロック図である。
【図３】本発明の実施例のリモコンの構成を示す図である。
【図４】本発明の実施例の流れを示すフローチャートである。
【図５】本発明の実施例の流れを示すフローチャートである。
【図６】本発明の実施例の流れを示すフローチャートである。
【図７】本発明の実施例の処理階層と処理群を示す図である。
【図８】本発明の実施例の処理階層と処理群を示す図である。
【図９】本発明の実施例の表示画面を示す図である。
【図１０】本発明の実施例の表示画面を示す図である。
【図１１】本発明の実施例の表示画面を示す図である。
【図１２】本発明の実施例のデータフォーマットを示す図である。
【図１３】録画再生装置のメニューの状態遷移図である。
【図１４】録画再生装置のメニューの状態遷移図である。
【図１５】表示画面を示す図である。
【図１６】表示画面を示す図である。
【図１７】表示画面を示す図である。
【図１８】表示画面を示す図である。
【図１９】表示画面を示す図である。
【図２０】表示画面を示す図である。
【図２１】表示画面を示す図である。
【図２２】表示画面を示す図である。
【図２３】表示画面を示す図である。
【図２４】表示画面を示す図である。
【図２５】表示画面を示す図である。
【図２６】表示画面を示す図である。
【符号の説明】
【００６５】
１  録画再生装置
３  リモコン（操作部）
１１  メインマイコン（装置制御部）
１２  メモリ（記憶部）
１５  デジタル映像制御部（映像制御部）
１６  ＨＤＤ映像処理部（映像処理部）
１７  ＤＶＤ映像処理部（映像処理部）
１８  表示出力制御部
１９  赤外線受光部（制御信号受信部）
２０  アナログ映像制御部（映像制御部）
２１  ＨＤＤ（映像記録媒体）
【図１】
2008084404.tif 000003
【図２】
2008084404.tif 000004
【図３】
2008084404.tif 000005
【図４】
2008084404.tif 000006
【図５】
2008084404.tif 000007
【図６】
2008084404.tif 000008
【図７】
2008084404.tif 000009
【図８】
2008084404.tif 000010
【図９】
2008084404.tif 000011
【図１０】
2008084404.tif 000012
【図１１】
2008084404.tif 000013
【図１２】
2008084404.tif 000014
【図１３】
2008084404.tif 000015
【図１４】
2008084404.tif 000016
【図１５】
2008084404.tif 000017
【図１６】
2008084404.tif 000018
【図１７】
2008084404.tif 000019
【図１８】
2008084404.tif 000020
【図１９】
2008084404.tif 000021
【図２０】
2008084404.tif 000022
【図２１】
2008084404.tif 000023
【図２２】
2008084404.tif 000024
【図２３】
2008084404.tif 000025
【図２４】
2008084404.tif 000026
【図２５】
2008084404.tif 000027
【図２６】
2008084404.tif 000028